(57)【要約】本発明により競技フィールドのための周囲マーキングバリアは、競技フィールドの周囲に沿って配置された１つ以上のバリア要素を備える。これらの要素の少なくとも１つが、反射表面（ＥＬ）を備え、反射表面は、垂直方向に延びかつこの反射表面に当たった、投げられる対象物を競技フィールド内側に保持するによう構成される。バリア要素は、競技フィールドの周囲を修正するように移動されおよび／または変形されるように構成される。
2005529718.tif 000002
【特許請求の範囲】
【請求項１】
競技フィールドの周囲マーキングバリアであって、競技フィールドの周囲に沿って配置された１つ以上のバリア要素を備え、少なくとも１つの前記バリア要素が反射表面を備え、該反射表面は、垂直方向に延びかつ前記反射表面に対して当たる、投げられる対象物を前記競技フィールド内側に保持するのに適しており、前記少なくとも１つのバリア要素は、前記競技フィールドの周囲を修正するように移動されおよび／または変形されるように適しているものであることを特徴とする周囲マーキングバリア。
【請求項２】
前記少なくとも１つのバリア要素は、ホイールを備え、前記少なくとも１つのバリア要素は、移動されるようにホイールで走行することができることを特徴とする請求項１に記載の周囲マーキングバリア。
【請求項３】
前記少なくとも１つのバリア要素は、前記対象物が前記衝撃表面に当たるときに、投げられた前記対象物を周囲マーキングバリア内側に戻すのに適していることを特徴とする請求項１および／または２に記載の周囲マーキングバリア。
【請求項４】
前記反射表面は、前記衝撃表面に対して投げられた前記対象物の衝撃において、衝撃点の高さに応じて、投げられた前記対象物の運動エネルギーの異なる部分を消散するように、その高さに沿って、可変の剛性および／または可変の衝撃の緩衝作用を有することを特徴とする請求項３に記載の周囲マーキングバリア。
【請求項５】
前記反射表面の上方部分における前記剛性は、前記衝突表面の下方部分における剛性より実質的に小さく、かつ前記反射表面の上方部分における衝撃の前記緩衝は、前記衝突表面の下方部分における緩衝より実質的に大きいことを特徴とする請求項４に記載の周囲マーキングバリア。
【請求項６】
前記反射表面は、実質的により大きな剛性の第１の部分と、前記第１の部分より高く配置され、前記第１の部分の剛性より実質的に小さい剛性の第２の部分とを備え、前記第１の部分は、グランドから競技者の尻の平均高さ以上の高さまで垂直に延びていることを特徴とする請求項５に記載の周囲マーキングバリア。
【請求項７】
前記反射表面は、実質的により大きな剛性の第１の部分と、前記第１の部分より高く配置され、前記第１の部分の剛性より実質的に小さい剛性の第２の部分とを備え、前記第１の部分は、グランドから０．３ｍを越えない高さまで垂直に延びていることを特徴とする請求項５および／または６に記載の周囲マーキングバリア。
【請求項８】
前記反射表面は、実質的に下方に向けられた下方部分と、実質的に上方に向けられた上方部分とを備え、投げられて反射表面に当たる対象物を、それぞれ下方および上方に偏向するものであることを特徴とする請求項１から７のいずれか一項に記載の周囲マーキングバリア。
【請求項９】
前記バリア要素は、前記バリア要素の２つの相対向する側に配置された少なくとも２つの前記衝撃表面を備えることを特徴とする請求項１から８のいずれか一項に記載の周囲マーキングバリア。
【請求項１０】
バリア要素が、少なくとも１つの反射表面を備え、反射表面は、垂直方向に延び、かつ前記反射表面に当たる、投げられる対象物を保持するのに適しており、前記競技フィールドの周囲を修正するように移動されおよび／または変形されるように適していることを特徴とする、請求項１から９までのうち１つ以上の請求項に記載の競技フィールドの周囲マーキングバリアを構成するのに適したバリア要素。
【請求項１１】
前記反射表面の上方部分の剛性は、前記衝突表面の下方部分の剛性より小さく、かつ前記反射表面の上方部分における緩衝もしくは衝撃緩和性は、前記衝突表面の下方部分における緩衝作用より大きいことを特徴とする請求項１０に記載のバリア要素。
【請求項１２】
前記バリア要素は、その移動を容易にするためにバリア要素の重量を増大または低減するように、バラスト材料で充填されることができる内部空洞を備えることを特徴とする請求項１０および／または１１に記載の周囲マーキングバリアを構成するのに適したバリア要素。
【請求項１３】
バリア要素が、
開口を画定する第１の前記反射表面と、
第２の反射表面とを備え、第２の反射表面は、前記第１の反射表面と同一面に配置されるのに適しており、かつ前記開口を閉じるのに適しており、または、前記開口を開放しかつサッカー、ファイブアサイドもしくはフットサル、またはホッケーのゴールの中空の空間を画定するように、前記第１の反射表面に対して凹んでいるのに適していることを特徴とする請求項１０から１２のいずれか一項に記載のバリア要素。
【請求項１４】
バリア要素は、前記第１の反射表面の実質的に矩形または正方形の部分を覆う１つ以上のパネルを備え、前記実質的に矩形または正方形の部分は、正規なまたは正規ではないサッカー、ファイブアサイド、またはホッケーのゴールとして使用されるのに適しており、前記１つ以上のパネルが、前記１つ以上のパネルによって覆われていない前記第１の反射表面の部分によって緩衝される方法とは実質的に異なる方法で、パネルに当たる、投げられた前記対象物の衝撃を緩衝するのに適していることを特徴とする請求項１０から１３のいずれか一項に記載のバリア要素。
【請求項１５】
前記１つ以上のパネルによって覆われる前記実質的に矩形または正方形の部分は、それが投げられる前記対象物の１つに当てられるとき、前記パネルより大きな範囲で振動しまたは移動することによって、強調するのに適した境界によって囲まれることを特徴とする請求項１０から１４のいずれか一項に記載のバリア要素。
【請求項１６】
反射バリアを用い、サッカーまたはボールがフィールドの内側で競技される他のスポーツに関する、特定のラクタシド訓練、指示、およびゲームアクティビティに適した競技領域のための周囲マーキングシステムであって、その基本要素が、独立にまたは非剛性的に接続されたバリアのセグメントのモジュールで構成され、したがって、各例毎に、可変寸法の競技領域の範囲を仕切り画定可能にすることを特徴とする周囲マーキングシステム。
【請求項１７】
そこに開口を残して、バリアからそれらを引き出すことによってゴールとして使用されることができる反射表面の部分を有し、一方、反射表面の部分は、使用されない段階において不明瞭で固定された全く同一のものとして、前記バリアの一部であり、したがって、各例に関して、バリアの状況内でゴールの寸法的、数値的、および空間的な配置の組み合わせの完全な、連続的なかつ任意の可変性を可能にすることを特徴とする請求項１６に記載の競技領域に関する周囲マーキングシステム。
【請求項１８】
構成部品モジュールの下に配置されたキャリッジにより、随意に移動されかつ配置されることができることを特徴とする請求項１６に記載の競技領域の周囲マーキングシステム。
【請求項１９】
また、一部の周囲マーキングが、単一のモジュールを使用する場合であっても、特定の刺激または単に最適な強度を得ることを可能にすることを特徴とする請求項１６に記載の競技領域の周囲マーキングシステム。
【請求項２０】
モジュールの後方構造体を実質的にかつ機能的に置き換える、反射バリアを支持するように使用されることができる周囲マーキング囲いを用いてフィールドで使用されることができることを特徴とする請求項１６に記載の可変レイアウトを有する競技領域の周囲マーキングシステム。
【請求項２１】
ある場所から他の場所に移動されるように迅速に分解されることができるように構成されることができることを特徴とする請求項１６に記載の競技領域の周囲マーキングシステム。
【請求項２２】
記載され、図面の添付に示され、かつ明細書に示される目的のための請求項１６に記載の競技領域の周囲マーキングシステム。
【発明の詳細な説明】
【技術分野】
【０００１】
本発明は、サッカーを競技する、または投げられるボールまたは他の用具の存在によって特徴付けられる他のゲームを練習するための領域に関する可変のレイアウトを有する周囲マーキングシステムに関する。
【０００２】
本発明は、サッカーまたは投げられるボールまたは他の用具の存在によって特徴付けられる他のゲームの特定の訓練、教育、または簡単に競技するための構造体にも関する。
【背景技術】
【０００３】
サッカー、ファイブアサイド、ハンドボール、バスケットボールなどのボールゲーム、またはアイスホッケーピックなどの何人かの競技者の間で前後に投げられる他の用具を用いる技術の現在の状態は、周囲を有する競技フィールドを提供し、周囲は、グランド上に描かれた固定ライン、またはイタリアでは通常「ガビ（ｇａｂｂｉｅ）」（フェンス）と呼ばれるグランド上に固定された剛性のバリアである。
【０００４】
これらの構造体またはこれらの周囲マーキングの完全に静的な性質は、目的である「最適な強度」の達成を著しく制限する。しばしば、あるグループの運動選手のために適したフィールドの寸法は、異なる数値特徴、技術特徴、運動競技の特徴、または戦術的な特徴を有する他のグループに関するものとは異なる。例えば、正規の寸法を有するサッカーフィールドは、２２人の競技者よりはるかに少ない数の臨時の競技者のグループ、および訓練されずかつほとんどゲーム全体の認識がない、平均レベルより平均して下であるグループに対しては、疲れすぎかつ挫折感を感じさせることがあり、または１２歳から１４歳などの非常に若いアマチュアのサッカー競技者の少数のグループの訓練に対しては適していない可能性がある。
【０００５】
さらに、従来技術の周囲マーキングバリアがグランドに固定される事実は、合成物表面上に周囲マーキングバリアを設置することを必要とし、または天然物カバリングの場合には、それらを節約して使用することを必要とし、そうでないと底部が短い時間でだめになる。
【発明の開示】
【発明が解決しようとする課題】
【０００６】
さらに、サッカーゴールのレイアウトは、ほとんど常に２つの正規なサッカーゴールとともに各モデルに関して固定されるため、２人のゴールキーパを有することが必要となり、また、いずれの場合にも、約１２歳より若い少年がそれらを正しく使用することはできず、したがって、若い少年が、実施に関するより大きな機会とともに通常のレイアウトから脱して、精神的に刺激されかつ同時にくつろぐように、対象の指示用具を表す可変の組み合わせを作り出すことを妨げる。
【課題を解決するための手段】
【０００７】
本発明は、従来技術の制限を取り除くことを目的とし、第１の態様において、競技フィールドの周囲に沿って配置された１つ以上のバリア要素を備え、少なくとも１つのこれらのバリア要素が、反射表面を備え、反射表面は、垂直方向に延びかつ前記反射表面に対して当たる、投げられる対象物を競技フィールド内側に保持するのに適しており、バリア要素は、競技フィールドの周囲を修正するような方法で移動されおよび／または変形されるように構成されることを特徴とする競技フィールドの周囲マーキングバリアを提供する。
【０００８】
本発明は、従来技術の制限を取り除こうとするものであり、第２の態様において、本発明の第１の態様による競技フィールドの周囲マーキングバリアを形成するために適した周囲マーキングバリア要素であって、前記バリア要素は、少なくとも１つの反射表面を備え、反射表面は、垂直方向に延び、かつ前記反射表面に当たる、投げられる対象物を競技フィールド内側に保持するのに適しており、かつ、競技フィールドの周囲を修正するような方法で移動されおよび／または変形されるのに適していることを特徴とする。
【０００９】
さらに、本発明は、従来技術の制限を取り除くことを目的とし、第３の態様において、競技領域に関する可変レイアウトを有する反射周囲マーキングシステムであって、反射バリアを使用し、ボールがフィールド内側で競技されるサッカーおよび他のスポーツのゲームに関して、特定のラクタシド（ｌａｃｔａｃｉｄ）訓練（トレーニングターゲットとして使用される乳酸“ｌａｃｔｉｃ  ａｃｉｄ”の関与する訓練）、指示、およびゲームアクティビティに適しており、周囲マーキングシステムは、基本構成要素として、分離されまたは剛性ではなく接続されている、バリアのモジュールまたはセグメントを有することを特徴とし、したがって各例毎に、可変寸法の競技領域の範囲を定めることを可能にする。
【００１０】
本発明は、基本パラメータとして競技の激しさに着目するものであり、様々な必要性に応じて競技の激しさを調整し、競技の間にラクタシドワークを最適化し、アイドル時間を低減し、かつ試合空間を適応させ、さらに指示目標およびゲーム目標の達成を強く損なう可能性がある、周囲ラインおよびあらゆる挫折感を感じさせる一切の要素を排除するものである。
【００１１】
本発明の第２の態様において、周囲バリアの基本構成要素は、バリアの全体として独立したセグメントである「モジュール」である。
【００１２】
各クライアントは、自分の目的に最も適していると思われる周囲マーキングの組み合わせを可能にする特定の数のモジュールを選択することができる。
【００１３】
モジュールの数のほかに、（反射表面内側の数、測定、および位置に関して）それぞれの寸法およびゴールも選択事項に含まれる。
【００１４】
クライアントによって注文されるときに、使用者の予想される範囲の数値特徴、技術特徴、競技の特徴、および／または戦術的な特徴によって、および提供しようと望む刺激の範囲によって、可能な組み合わせの所定の範囲を決定するのが好ましい。
【００１５】
購入されたモジュールの特定の数で、単一の大きなフィールドまたはいくつかのより小さいフィールドの周囲をマークすることができ、かつ全てのこれらのフィールドに関して、周囲マーキングは、全体から部分的まで、範囲を定めるラインに沿って用いられる単一のモジュールの極値限界に変化することができる。
【００１６】
再び特定の使用に関して、各単一のモジュールは、ゴールでのシュートまたはキックなどの内側の訓練練習、あるいは毎回に行われることができるまたは行われなければならない、一般的な技術的または技術運動的な練習に入れられることもできる。
【００１７】
本発明で達成可能なこれらの利点および他の利点は、添付の図面を参照して、いくつかの特定の非限定的な実施形態の以下の詳細な記載から、当業者にはより明らかになろう。
【発明を実施するための最良の形態】
【００１８】
図１を参照すると、システムの一般的なスポーツを行う哲学、並びに一連の静的な原理および可能な参照のそれらの相対的な技術解決方法を有する機能特徴を具体化する本発明の第２および第３の態様による、周囲マーキングバリア要素の第１の特定の実施形態が記載されている。本記載におけるこのバリア要素は、また「モジュール」とも称する。
【００１９】
全体として１００で示される図１の例におけるバリア要素は、３つのゴールの存在によって特徴付けられる。２つのゴールは中央にあり、その１つのゴールは他方の内側にあり（サッカーゴールおよびファイブアサイドゴール）、他のより小さいゴールは側方にある。
【００２０】
図１のバリア要素は、様々な可変の寸法を有することができ、例示的であり必ずしもそうでなくても良いが、高さが３０ｃｍから６ｍで幅が２ｍから２０ｍである。その中に含まれるゴールは、反射表面の内側の寸法、位置、および数に関して可変であってもよい。
【００２１】
安定性は、２つの側方アーチ２からなる金属構造体によって保証され、側方アーチは、２つの垂直方向で平行な面に配置されかつ２つのストリンガによって接続され、ストリンガは、バリア要素の使用される側に対して、なかでも風の作用に関して釣り合い機能も有する、前方上部１’および後方下部１”と表して区別できる。
【００２２】
１’を通る垂直面（反射バリアの面）に配置されかつグランドレベルの直上の前方下部１”’である第３のストリンガに直角に、キャリッジ３’、３”が、必要であれば横断部材とともに前方下部１”’を後方下部１”に接続するために結合される。
【００２３】
垂直方向の安定性は、前方表面の後ろに配置された２つの側方直立材４によって、または代わりに、２つのアーチが位置する面に配置され、それらおよび側方キャリッジ３’およびストリンガ１”’間の接合部に固定される一連の斜め部材によって保証される。
【００２４】
アーチの面に垂直であるバリア要素に平行な方向において、アーチに固定された２つの筋かいブレス５および中間ストリンガ６は、全て安定性に寄与する。
【００２５】
従来のサッカーゴールのモデル構造と非常に類似する「外部構造体」７を備える、サッカーゴール７００、ファイブアサイドゴール７０１、および第３のゴール７０１（正規のファイブアサイドゴール７０１よりもなお小さい）が、前方垂直面の開口とともに配置される。
【００２６】
サッカーゴール７００のポストは、それが各ゴールの開口に沿って延在しないという意味で、それを中断してストリンガ１”’上に載る。
【００２７】
これらの中断点で、正規のサッカーゴール７００は、グランド上に載置されることによって垂直方向と、ストリンガ１”に接続されることによって開口に対して直角方向との両方に安定性を提供するキャリッジ３”を有し、一方、他のより小さいゴール７０１、７０２において、これらのキャリッジ３”’は、ストリンガ１”には結合されないが、ゴールの感覚を与えるのに十分な深さで開口の後ろに延在する。この「外部ゴール構造体」は、後方でポストのレベルに、ゴール開口に直角なおよび垂直な面上に、閉じられかつ共通側面に沿ったポストに固定されたフレーム８’、８”を有する。ゴールの内側側方ネットは、これらのフレームに固定される（簡略化するために図面では省略されている）。さらに、それらの上側は、トラック状に成形され、その上に滑動支持体９が配置される。これらは、それぞれゴール開口の周囲で、閉じられたフレームである画定的な内部構造体１０’、１０”、１０”’に接続され、それによって、前述の支持体によって、また直立材の上方の約半分に配置された固定要素１１によって、接続されるゴールに対するその３つの側に隣接する。
【００２８】
弾性織物表面ＥＬが、バリア要素１００の前方部分上にぴんと張られて固定され、この弾性織物表面ＥＬは、例えば、そのいくつかが同じような目的で既に使用されている、多くの利用可能ものから選択されることができる。
【００２９】
この織物は、構造体の前方面全体を反射面に変換し、反射面は、２つの前方ストリンガ１’および１”’の間の垂直面の一部である。弾性織物ＥＬは、サッカーボール、ファイブアサイドボール、またはそれに対して当たった他の投げられる対象物を保持し、かつ必要であれば戻す。
【００３０】
ゴールの開口外側の織物ＥＬの一部は、２つのストリンガ１’および１”’と、ゴール７００、７０２に締結され、一方、分かるようにこれらのゴールの開口内側で、それは、閉じられたフレーム１０’または１０”’によって支持される。バリア要素１００の前方側に配置された反射表面全体は、それによって４つの反射表面から構成される。４つの反射表面は、フレーム１０’、１０”、および１０”’に固定される３つの反射表面ＥＬ’、ＥＬ”、ＥＬ”’と、２つのストリンガ１’、１”’に固定された反射表面ＥＬ４であり、ゴール７００、７０１、７０２の開口のレベルで区画を画定する。
【００３１】
当該ゴール（例えば７０１）が使用されるとき、固定要素１１は、内側フレーム１０”が、トラックに沿って後方に滑動することを可能とするように開放される。フレーム１０”がゴール７０１に固定された状態で、これは、代わりに、閉じられ、反射バリアに変換される。他のゴール７００、７０２は、同様に開かれまたは閉じることができる。
【００３２】
後方側フレーム８’、８”は、キャリッジ３”’および上方横部材１２による相互接続によって自己支持８”であることができる。しかしながら、正規のサッカーゴールの場合には、それらは、後方で安定化された構造体、特にキャリッジ３”を介してストリンガ１”に接続され、また必要であれば上方トラックの延長部を介して中間ストリンガ６に接続される。
【００３３】
少なくとも２つ存在する全てのキャリッジ３”に、固定システムが設けられる。さらに、タイロッドシステムが、弾性バリアに側方張力を作るように設けることができる。
【００３４】
好ましくは、バリア要素１００は、中心ではない位置に、例えば特に少ない数の競技者で使用されることができ、または妥当なゴールキーパがいないことを補償するために、小さなゴール７０２が設けられる。
【００３５】
バリア要素１００は、他のバリア要素とともに、例えば必ずしも可動ではない周囲マーキングバリアを構成するために使用されることができ、周囲マーキングバリアは、ボールまたは投げられる他の対象物（例えばアイスホッケーパック）を使用するスポーツ（例えばサッカーまたはファイブアサイド）のための競技フィールドを囲みかつ範囲を定める。１つ以上の可動なバリア要素を移動することによって、競技フィールドの周囲（図４、５、６）を修正することが可能であり、競技者が、平均レベルより平均して下であり（ほとんどまたは全く訓練していない、およびチーム戦略の乏しい認識を有する）、および競技者がわずかな人数しかいない場合には、例えばフィールドの表面を低減し、または従来のサッカーゴール７００より小さい単一のファイブアサイドゴール７０１、７０２を使用して、競技者の必要性にフィールドの形態および表面を適合させる。２２人の競技者のための正規のサッカーフィールドより小さい競技フィールドで、例えば、ボールがバウンドしたとき、またはいずれにしても周囲マーキングバリアに接触して競技フィールドに戻って落ちた場合には、競技を継続するルールを導入することによって、これは、競技者が、疲れすぎて挫折感を感じることを防ぎ、ゲームの継続性を容易にし、かつ楽しみを増やす。
【００３６】
より高いレベルの競技者の場合には、可動なバリアは、競技フィールドを拡張するように移動されることができる。
【００３７】
周囲マーキングバリアを容易に移動することによって（例えば、ホイールおよび／または追加されまたは取り除かれるバラストを設けて、適切に軽量のバリアを作ることによって）、試合の直前に競技フィールドの形態および表面を変えるだけでなく、例えば訓練期間の間にこれをより効果的にすることも可能である。
【００３８】
図２は、本発明による可動周囲マーキングバリアを構成するのに有用な、全体として２００で示された本発明の第１の態様による、周囲マーキングバリア要素の第２の例を示す。このバリア要素２００は、上下の関係で水平方向に配置された３つの帯域Ｆ１、Ｆ２、Ｆ３に分割された反射表面ＥＬ２を有する。好ましくは、最も下の帯域Ｆ１は、より剛性が高く、かつ帯域Ｆ２よりわずかに低い程度で衝撃を緩衝し、帯域Ｆ２は、次に、より剛性が高く、かつ帯域Ｆ３よりわずかに低い程度で衝撃を緩衝する。例えば、帯域Ｆ１は、数センチメートル厚みの木材板と同じ剛性で、かつこのような木材板と同じ程度で衝撃を緩衝するように作られることができ、帯域Ｆ２は、比較的柔軟な発泡ゴムマットと同じ剛性で、かつこのようなゴムマットと同じ程度で衝撃を緩衝するように作られることができ、帯域Ｆ３は、実際にボールがバウンドすることを妨げることができ、推進されたボールの運動エネルギーをほぼ完全に緩衝し、試合の周囲内側にボールを維持する単一の機能を有する。例えば、図６における実施形態において、可変表面の２つのサッカーまたはファイブアサイドフィールドに分離する可動バリアの最上部の帯域Ｆ３は、ポリエチレンネットとして作られる。このように、最も低い帯域Ｆ１は、競技の連続性を容易にし、より柔軟な帯域Ｆ２および帯域Ｆ３は、競技者が、囲まれた競技領域内側にボールを維持しながら、事故（例えば、バリアに衝突する、またはそれらの面でボールがバウンドして戻って顔に当たる）で傷つくことを防ぐ。好ましくは、必ずしも必要ではないが、最も剛性の帯域Ｆ１の高さは、低いボールだけをわずかに緩衝して返すように、０．３ｍを越えず、より好ましくは約０．２ｍの高さであり、一方、帯域Ｆ２の高さ、および帯域Ｆ２およびＦ３の剛性は、例えば、中間の水準の競技者がバリアに衝突したとき、その競技者が転び、その大腿骨または脛骨を骨折し、または足に他の傷害を受けるようなことがないように選択される。
【００３９】
代わりに、より高い帯域Ｆ２およびＦ３は、所定の程度のバウンドおよび試合の連続性を可能にするように、キックのエネルギーを部分的にだけ緩衝する（例えば５０％まで）こともできる。
【００４０】
図２の特定の実施形態において、さらに反射表面ＥＬ２は、好ましくは、凸状の形態および高さにおける変化にしたがって可変の傾斜を有する。可変の傾斜は、バリア要素２００の最も低い部分において下方へ向う反射表面の第１の部分（例えば、帯域Ｆ１）、バリア要素の最も高い部分において上方へ向う反射表面の第２の部分（例えば、帯域Ｆ３）、および、垂直に向けられる平坦な中間部分を有しており、これによりそれぞれ低いキックを下方へ逸らし、高いキックを上方へ逸らし、かつ中間の高さでキックを同じ高さで維持する。このように、周囲マーキングバリアをバウンドして、その面で競技者に当たる可能性は低減される。
【００４１】
図３は、本発明の第２の態様による可動なバリア要素の第３の実施形態を示す。この可動なバリア要素３００は、要素が、図４に示される周囲マーキングバリア４００の可動側面４０１を構成するために使用されることができるように、要素の２つの反対側側面に配置された２つの反射表面ＥＬ３、ＥＬ３’を有する。この周囲マーキングバリア４００は、固定された反射バリアで作られた４つの周囲側面４０２と、矩形フィールド全体を２つのより小さい矩形フィールド（一方が拡張されたとき、他方が減少される）に分割するように、外部囲みの長さ方向に移動されることができる分離可動バリア４０１とを備える。この周囲マーキングシステムは、スポーツまたはレジャーセンタにおいて有利に使用され、特に現存するスポーツ設備における所定の全体領域を賃貸できるように、多数の競技フィールドを得ることができる。
【００４２】
図３に戻り、バリア要素３００は、プラスチック材料で作られた中空本体として作られ、中空本体は、バリア要素を手で迅速に移動させ、かつ試合の直前にまたは訓練期間の間でも競技フィールドの周囲を修正するために、バラスト材料（例えば水または砂）で充填されかつ容易に空にされることができる。
【００４３】
好ましくは、バリア要素２００（図２）と同様に可動なバリア要素３００は、ホイール２０１を備え、バリア要素３００は、移動されるためにホイール２０１で走行する。図６は、可変寸法の２つの競技フィールドを画定するように、知られているタイプの囲まれて固定された矩形の競技領域の内側で滑動して移動されることができる中間可動バリア６００の第２の実施形態を示す。固定された周囲マーキングバリアおよび中間可動バリア６００の両方は、増大した剛性および衝撃のより少ない緩衝作用を有するより下方部分Ｆ２と、推進されたボールの運動エネルギーの５０％を緩衝するように、衝撃のより大きな緩衝作用を有する上方部分Ｆ３を有する。図６の特定の例において、中間可動バリア６００の上方帯域Ｆ３は、複数のポストを有し、それらの間にポリエチレンネット６０１が延びる構造体として製造される。
【００４４】
中間可動バリア６００は、また長さがそれぞれ約４ｍの５つのバリア要素を整列することによって、本発明者により作られた。このバリアは、ホイールで移動し、かつ組み立てるときにモジュールを分離することなく、２人の人が手でそれを移動することができる全重量を有する。
【００４５】
図７は、本発明の第２の態様による反射バリア要素の第４の実施形態を概略的に示す。全体を７０４で示されるこのバリア要素は、より大きな寸法の第１の反射表面ＥＬ７と、第２のより小さな反射表面７１０（例えば、必ずしもそうである必要はないが、形状が矩形または正方形）とを備える。第２の反射表面７１０は、反射表面の残りが緩衝する方法とは実質的に異なる方法で、キックされたボール（または、パネルに衝突する推進された対象物の他の衝突）を緩衝することができる１つ以上のパネル７１１で作られる。例えば、反射表面７１０は、マットよりも非常に大きい範囲でキックされたボールを返す反射表面ＥＬ７に対して配置された１つ以上のマット７１１で作られる。マットは、好ましくは、それらが、反射表面ＥＬ７から容易に取り外されかつ反射表面ＥＬ７上に容易に再配置されるように、反射表面ＥＬ７に対して固定される。
【００４６】
パネル７１１によって覆われた領域７１０は、サッカー、ファイブアサイド、ホッケー、または投げられる対象物を有する他のスポーツを競技しまたは訓練するために、正規のまたは他の寸法を有するゴールとしてそれを使用可能にする形態である。
【００４７】
この実施形態は、特定の周囲マーキングバリア要素で使用されるゴールの形態、寸法、位置、および数を、かなり容易に変えることを可能にする。
【００４８】
好ましくは、領域７１０は、ゴールの境界でキックされたボールが、有効なゴールかどうかを強調する機能を有する境界７１２によって囲まれている。このために、境界７１０は、マット７１１より軽い材料で作られることができ、またはそれが当たったときに振動するように、またはいずれにしても明らかの方法で移動するように、十分に不安定な方法で固定されることができる。
【００４９】
しかしながら、本明細書に記載される実施形態は、本発明の範囲から逸脱することなく様々な修正および変形を受けることができる。例えば、競技フィールドの周囲は、１つ以上のバリア要素よりむしろ周囲バリア（例えば、単一の移動可能で変形可能なバリアによって構成されることができる）を変形するように修正されることができる。代替的解決手法の中で、囲まれたフィールド内での設置に関する解決手法は、記載するのに値する。
【００５０】
囲みは、モジュールの後方支持構造体を機能的にかつ実質的に置き換えるようにすることができる。例えば、これらは、ケーブルによって固定されることができ、ケーブルは、前方要素間の後ろをおよび前方要素間を相互に、ネットの周りに巻かれることができる。
【００５１】
バリアは、特にゴール領域においては他の材料（特にプラスチック）で作ることもでき、したがって、風のより大きな推力を考慮しても、内部フレームを不要にすることも留意しなければならない。
【００５２】
ほぼ１ｍの高さにグランドから延びるゾーンは、より剛性に作ることができる。
【００５３】
全てのこれらおよび他の代わりの解決方法は、場合に応じて評価される。請求範囲の等価物の意味および範囲内にある全ての修正および変形は、請求範囲に含まれるものとして理解される。
【図面の簡単な説明】
【００５４】
【図１】本発明の第２および第３の態様による、競技フィールドの周囲マーキングバリア要素の第１の特定の実施形態を概略的に示す。
【図２】本発明の第２の態様による、競技フィールドの周囲マーキング要素の第２の特定の実施形態を概略的に示す。
【図３】本発明の第３の態様による、競技フィールドの周囲マーキング要素の第３の特定の実施形態を概略的に示す。
【図４】本発明の第１の態様による、競技フィールドの周囲マーキングバリアの第１の実施形態を概略的に示す。
【図５】本発明の第１の態様による、競技フィールドの周囲マーキングバリアの第１の実施形態を概略的に示す。
【図６】本発明の第１の態様による、競技フィールドの周囲マーキングバリアの第２の実施形態を概略的に示す。
【図７】本発明の第２および第３の態様による、競技フィールドの周囲マーキングバリア要素の第４の実施形態を概略的に示す。
【符号の説明】
【００５５】
１’  前方上部
１”  後方下部
１”’  前方下部
２  アーチ
３’、３”，３”’  キャリッジ
４  側方直立材
５  ブレス
６  中間ストリンガ
７  外部構造体
８’、８”  フレーム
９  滑動支持体
１０’、１０”、１０”’  内部構造体
１１  固定要素
１２  上方横部材
１００、２００、３００、７０４  バリア要素
２０１  ホイール
４０１  可動側面
４０２  周囲側面
６００  中間可動バリア
７００  サッカーゴール
７０１  ファイブアサイドゴール
７０２  第３のゴール
７１０  反射表面
７１１  パネル、マット
７１２  境界
ＥＬ’、ＥＬ”、ＥＬ”’、ＥＬ４、ＥＬ７  反射表面
Ｆ１、Ｆ２、Ｆ３  帯域
【図１】
2005529718.tif 000003
【図２】
2005529718.tif 000004
【図３】
2005529718.tif 000005
【図４】
2005529718.tif 000006
【図５】
2005529718.tif 000007
【図６】
2005529718.tif 000008
【図７】
2005529718.tif 000009
【国際調査報告】
2005529718.tif 000010
2005529718.tif 000011